(57)【特許請求の範囲】
【請求項１】
外部電源方式によって電気防食されている埋設鋼管の溶接部を保護する覆いであって、溶接部及び溶接部近くの鋼管防食被覆部の左右の端部を覆う熱収縮性チューブを加熱して鋼管に密着させ、その上に生分解性樹脂発泡体シート及びプラスチック製ネットを巻き、覆い全体を複数の押さえテープで締め付けたことを特徴とする埋設鋼管の溶接部の保護覆い。
【請求項２】
外部電源方式によって電気防食されている埋設鋼管の溶接部を保護する覆いであって、溶接部及び溶接部近くの鋼管防食被覆部の左右の端部を覆う熱収縮性チューブを加熱して該チューブを鋼管に密着させ、その上にプラスチック製ネットを２層巻き、２層のプラスチック製ネットの間に生分解性樹脂発泡体シートを介在させ、覆い全体を複数個の押さえテープで締め付けたことを特徴とする埋設鋼管の溶接部の保護覆い。
【発明の詳細な説明】
【０００１】
【産業上の利用分野】
本発明はガス、石油、化学薬品、水道等の流体輸送用の電気防食されている埋設鋼管の溶接部を保護する覆いに関する。
【０００２】
【従来の技術及び発明が解決しようとする課題】
埋設鋼管はプラスチック材料等により被覆され防食加工されているものであるが被覆加工のみでは完全に防食できず、電気防食が併用されている。電気防食には、外部電源方式、流電陽極方式等があるが、本発明はそのいずれでもよい。
【０００３】
前述のように埋設鋼管は予めプラスチック材料等で防食加工されているが、鋼管の溶接部は予め防食被覆することができず、溶接後、溶接部保護覆いを取り付けてから地中に埋め戻されるものである。この保護覆いは熱収縮性チューブを用い溶接部及び溶接部近くの防食被覆部の左右の端部を覆い熱収縮させて溶接部周辺に密着させた後、耐食性合成樹脂で覆い複数の押さえテープで締め付けるのが通常であった。
【０００４】
しかし、熱収縮チューブを熱収縮させて鋼管溶接部表面に密着させるという作業は埋設鋼管の管径が大になる程施工が大変であり、更に熱収縮チューブの内面に防食性粘着層が塗布されているものは一層作業が大変である。施工不良のものが地中に埋設されていると、熱収縮チューブと鋼管溶接部表面との間に水が溜まるようになり、鋼管溶接部表面に錆が発生したりして充分に溶接部表面を保護できない。
【０００５】
一方、電気防食の基本は、地中から鋼管へ電気を流し腐食を防止することであるが耐食性合成樹脂で覆われた鋼管溶接部へは、地中から電流が流れにくい。
【０００６】
このような状態では電気防食をしているとは言えなく好ましいことではない。
【０００７】
従って仮に熱収縮チューブと鋼管溶接部表面の間に水が溜まったとしても、鋼管溶接部表面から地中に電流が流れないようにすると共に外部電源より地中を通って鋼管溶接部表面に電気が流れ易いように、鋼管溶接部表面を覆う熱収縮チューブの上に一定幅の導電性テープを巻くことも考えられるが費用がかかり実用的ではない。
【０００８】
このように従来技術では埋設鋼管の溶接部の保護が不充分であったが、本発明は安価な材料で効率よく埋設鋼管の溶接部を保護する覆いを提供しようとするものである。即ち保護覆いの中に地中から電流が入り易くしたものである。
【０００９】
【課題を解決するための手段及び作用】
本発明は上記課題を解決したもので、外部電源方式によって電気防食されている埋設鋼管の溶接部を保護する覆いであって、溶接部及び溶接部近くの鋼管防食被覆部の左右の端部を覆う熱収縮性チューブを加熱して鋼管に密着させ、その上に生分解性樹脂発泡体シート及びプラスチック製ネットを巻き、覆い全体を複数の押さえテープで締め付けたことを特徴とする埋設鋼管の溶接部の保護覆いである。
【００１０】
熱収縮性チューブは市販品をそのまま使用できるが、内面に防食性の高い粘着層を塗布した防食用熱収縮性チューブが好ましい。熱収縮性チューブは溶接前に鋼管に挿入しておき、溶接後、該チューブの中央部が溶接部にくるように移動させ熱収縮させればよい。
【００１１】
熱収縮は中央部の溶接部から始めて順次、鋼管防食被覆部の両端部に及ぼせばよい。かかる熱収縮チューブの材質としてはポリエチレン、ポリプロピレン、架橋ポリエチレン等のいずれでもよく市販品をそのまま使用できる。
【００１２】
プラスチック製ネットを巻くのは地中から鋼管溶接部保護覆いの中へ電流が入り易くしたものである。生分解性樹脂発泡体シートは自然界中の微生物により完全に水と炭酸ガスに分解される生分解性樹脂の発泡体シートであり、プラスチック製ネットが２層ある場合はその間に介在させればよい。
【００１３】
このようにすることによって、埋め戻しの際及びその後の土壤の安定するまでの間、鋼管防食被覆及び熱収縮チューブの表面が砂、土によって傷つけられるのを、より確実に防止できるのである。
【００１４】
【実施例】
実施例１
図１は外部電源及びその電極を省略して図示された本発明に係わる埋設鋼管の溶接部保護覆いが取り付けられた状態を示す管軸方向の中央断面説明略図である。
【００１５】
図１において、１は直径１０００ｍｍの埋設鋼管、２は鋼管表面に予め塗布されている防食被覆、３は溶接部、４は加熱され熱収縮された厚み約２．０ｍｍ（外層剤の架橋ポリエチレン層及び内層剤としてのブチルゴム粘着層を含む）、幅５５０ｍｍの熱収縮チューブ（古河電工製ラプコチューブＥ５０）、５は厚み約１ｍｍ、幅１００ｃｍの中低圧ポリエチレン製の可撓性あるプラスチック製ネット（タキロントリカルネットＮ−１１、目合０．４〜０．８）であり、管周よりやや長く切断され管側面において一部オーバーラップするように巻かれている。
【００１６】
６は厚み０．５ｍｍ、幅１００ｃｍの生分解性樹脂発泡体シート（古河電工製バイオエース、脂肪族ポリエステル樹脂使用）であり、自然界の土中にある微生物により１年以内に水と炭酸ガスに分解されるものであるが、分解される前は適当な引っ張り強度を有する可撓性シートである。この発泡体シート６は管周より長い目に切断され、プラスチック製ネット５と同様に一部オーバーラップするように巻かれている無架橋発泡体シートである。接触する土壤の種類、温度、シートの厚み等によって異なるが一般土壤中では約１年で完全に分解する。溶接された鋼管の溶接部保護覆いを地中に埋め戻す際、ネットだけでは土圧によって砂、土等がネットの網目を通り抜けて直接鋼管の熱収縮チューブや防食被覆部に当たりそれらを傷つける危険性があり、更に埋め戻しの後、しばらくは土壤が安定せず砂、土が移動することが多い。
【００１７】
従って砂、土等によって熱収縮チューブや鋼管の表面が傷つけられるのを防ぐためにネットの内側に生分解性樹脂発泡体シートを巻くのである。この生分解性樹脂発泡体シートは１年近く地中にあれば前述のように水と炭酸ガスに分解され消失してしまう。
【００１８】
しかし、１年近く経過すると土壤が安定し、砂、土が移動することがなくなり、砂、土がネットの網目を通り抜けて鋼管の防食被覆部や熱収縮チューブの表面を傷つけることも殆どなくなり、ネットだけで充分保護されるものである。ネットの材質としてはポリエチレン、ポリプロピレン、ＥＶＡ等のいずれでもよく、市販品のプラスチック製ネット、例えばタキロン（株）製トリカルネットがあげられる。
【００１９】
７の押さえテープは幅７０ｍｍ、厚み０．５ｍｍの粘着層をもったプラスチック樹脂を用いた。８は必要に応じて設けられる内側のプラスチック製ネットである。
【００２０】
また生分解性樹脂発泡体シートとしては、脂肪族ポリエステルをベース樹脂として炭酸ガスで発泡させたもの、例えば古河電工製バイオエースがあげられる。押さえテープとしては市販されている梱包用の合成樹脂製のものであればよく、プラスチック製ネットがはずれないように複数箇所で締め付けておけばよい。
【００２１】
実施例２
一方、別の態様として請求項２に示されるように、外部電源方式によって電気防食されている埋設鋼管の溶接部を保護する覆いであって、溶接部及び溶接部近くの鋼管防食被覆部の左右の端部を覆う熱収縮性チューブを加熱して該チューブを鋼管に密着させ、その上にプラスチック製ネットを２層巻き、２層のプラスチック製ネットの間に生分解性樹脂発泡体シートを介在させ、覆い全体を複数個の押さえテープで締め付けたことを特徴とする埋接鋼管の溶接部の保護覆いがある。即ちプラスチック製ネットを２層巻き、２層の間に生分解性樹脂発泡体シートを挿入したものであり、４カ所でプラスチック製ネットを巻き締めている。８は必要に応じて設けられる内側の厚み１ｍｍ、幅１００ｃｍの中低圧ポリエチレン製の可撓性あるプラスチック製ネット（タキロントリカルネットＮ−２４  目合１０〜２５）であり、管周と同じ長さに切断され、管頂部で両端が突き合うように巻かれている。
【００２２】
【発明の効果】
本発明の埋設鋼管の溶接部保護覆いは、溶接後地中に埋め戻す際の土圧及びその後の土壤の不安定による砂、土の移動で配管の防食被覆や熱収縮チューブの表面が傷つくのを適当な強度をもった生分解性樹脂発泡体シートで防ぐことができるという効果を奏する。
【００２３】
この生分解性樹脂発泡体シートは１年近く経過すれば消失するが、鋼管が埋設された土壤は安定し、砂、土の移動することがなく鋼管の防食被膜及び熱収縮チューブの表面が傷つくことが殆どなくなる。一方、生分解性樹脂発泡体シートが消失し、溶接部保護覆いが熱収縮チューブとプラスチック製ネットのみになれば電流が入り易くなり、電気防食で腐食を防止できるという効果を奏する。
【図面の簡単な説明】
【図１】図１は電気防食設備を省略した本発明にかかる埋設鋼管の溶接部保護覆いが取り付けられた状態を示す管軸方向の中央断面説明略図。
【符号の説明】
１  埋設鋼管
２  防食被覆
３  溶接部
４  熱収縮チューブ
５  プラスチック製ネット
６  生分解性樹脂発泡体シート
７  押さえテープ
８  必要に応じて設けられる内側のプラスチック製ネット
【図１】
0004430783.tif 000002